(57)【要約】【課題】家屋内の居住スペースを減らすことなく外部からの侵入者から身の安全を守ることができる緊急避難室を提供する。【解決手段】本発明の緊急避難室は浴室１を利用したものであり、内部には窓２と施錠を行うシリンダ３ａ及び３ｂとを備えた扉４と、各種スイッチとモニタ５とを備えたリモコン６とが設けられている。リモコン６は、モニタ５と、非常スイッチ７と、外部通報スイッチ８と、各種の機能の操作を行う操作スイッチ９と、入力切替スイッチ１０と、複数の監視カメラ１３を切り替えるカメラ切替スイッチ１１とを備えている。居住者が浴室１内に避難したときは、扉４を閉じてリモコン６に設けられた非常スイッチ７を押す。これによりシリンダ３ａ及び３ｂが作動して扉４が施錠され、外部からは扉４を開けることができない。また、扉４は強度が高められているため、外部からの侵入者から避難者の安全を確保することができる。【選択図】  図１
2005002652.tif 000002
【特許請求の範囲】
【請求項１】
給湯器用のリモコンを室内に備える浴室を利用した緊急避難室であって、
前記浴室の出入口に設けられた扉と、外部から前記扉が開けられないように施錠する施錠手段と、前記施錠手段の施錠を行う非常スイッチと、前記浴室内から外部に通報可能な外部通報スイッチとを備え、前記非常スイッチと前記外部通報スイッチは前記リモコンに設けられていることを特徴とする浴室を利用した緊急避難室。
【請求項２】
前記リモコンは、前記浴室の外部の状況を撮影する監視カメラからの映像が表示できるモニタを備えていることを特徴とする請求項１に記載の浴室を利用した緊急避難室。
【請求項３】
前記施錠手段は、部外者に秘匿された特殊操作により外部から開錠可能であることを特徴とする請求項１又は２に記載の浴室を利用した緊急避難室。
【発明の詳細な説明】
【０００１】
【発明の属する技術の分野】
本発明は、家屋内に設置される防犯用の緊急避難室に関する。
【０００２】
【従来の技術】
近年、家屋等の室内において外部からの侵入者から身の安全を守るために緊急避難室を設けるという対策がとられている。また、災害用の緊急避難室としては、下記特許文献１に室内に設置が可能な家具調のシェルターが開示されている。当該シェルターにおいては、平常時は家具として内部に物品を収納しておき、災害時にシェルターとして使用することができるとされている。
【０００３】
しかしながら、シェルターを家屋内に設置すると、万が一の備えのために日常の居住空間が削減されてしまう。また、特許文献１におけるシェルターは、平常時には内部に物品を収納することができる旨開示されているが、内部に避難する際にはこれらの物品を取り除いてからシェルター内に入らなければならないため、緊急避難用には適していない。さらに、当該特許文献１に開示されたシェルターは災害時用であり、外部からの侵入者から身の安全を守るという課題がないため、外部から扉を開けられてしまうおそれがある。
【０００４】
【特許文献１】
特開平９−１５４９６５号公報
【０００５】
【発明が解決しようとする課題】
本発明は、緊急避難室の改良を目的とし、さらに詳しくは前記不都合を解消するために、家屋内の居住スペースを減らすことなく外部からの侵入者から身の安全を守ることができる緊急避難室を提供することを目的とする。
【０００６】
【課題を解決するための手段】
前記目的を達成するために、本発明の緊急避難室は、給湯器用のリモコンを室内に備える浴室を利用した緊急避難室であって、前記浴室の出入口に設けられた扉と、外部から前記扉が開けられないように施錠する施錠手段と、前記施錠手段の施錠を行う非常スイッチと、前記浴室内から外部に通報可能な外部通報スイッチとを備え、前記非常スイッチと前記外部通報スイッチは前記リモコンに設けられていることを特徴とする。
【０００７】
浴室には多くの場合湯張りやシャワー等の給湯器の温度設定等を行うリモコンが設けられている。従って、前記非常スイッチ及び前記外部通報スイッチを前記リモコンに設けることにより、リモコンについて僅かな仕様変更をすることで浴室を緊急避難室とすることができる。そして、前記非常スイッチを作動させることにより、前記施錠手段によって前記扉が外部から開けられないようにすることができるので、外部からの侵入者に対して居住者の安全を確保することができる。
【０００８】
また、前記外部通報スイッチにより外部との連絡を取ることができ、警備会社や警察等に通報することができるので非常事態において外部に救助を求めることができる。また、平常時は浴室として使用されているため居住空間を減らすことがない。また、浴室であれば上記特許文献１に開示されたシェルターのように内部に物品等が収納されることがないため、緊急時には即座に内部に避難することができる。
【０００９】
本発明の緊急避難室においては、前記リモコンは、前記浴室の外部の状況を撮影する監視カメラからの映像が表示できるモニタを備えていることが好ましい。近年においては、浴室内でテレビやビデオ等の映像を表示できるモニタを備えたリモコンも多く用いられている。また、近年は防犯性を向上させるために室内外に監視カメラを設置してある家屋も少なくない。従って、モニタや監視カメラが予め設置された家屋においては、当該モニタや監視カメラを利用することにより、浴室内のリモコンの僅かな仕様変更で緊急避難室内から外部の様子を確認することができるようになる。
【００１０】
また、本発明の緊急避難室においては、前記施錠手段は、部外者に秘匿された特殊操作により外部から開錠可能であることが好ましい。浴室に避難した人が何らかの原因により前記施錠手段を開錠できなくなった場合、あるいは入浴をしている人の体調が悪くなった際に呼び出しスイッチではなく非常スイッチを押した場合には、前記施錠手段を開錠することが必要となる。そこで、部外者には秘匿されている前記特殊操作、例えば暗証番号を入力することにより前記施錠手段を開錠可能としている。
【００１１】
【発明の実施の形態】
次に、本発明の浴室を利用した緊急避難室の実施形態の一例について、図１乃至図４を参照して説明する。図１は本実施形態の緊急避難室である浴室の説明図、図２はモニタ付きリモコンを示す説明図、図３は家屋内の監視カメラの配置を示す説明図、図４は本発明の変形例に用いられるリモコンを示す説明図である。
【００１２】
本実施形態の緊急避難室は、図１に示すように浴室１を利用している。浴室１には、窓２と施錠を行うシリンダ３ａ及び３ｂとを備えた扉４と、各種スイッチとモニタ５とを備えたリモコン６とが設けられている。
【００１３】
扉４は、窓２以外の部分が高い強度を備えた構造を有しており、ジュラルミン等により形成されている。窓２は防犯用フィルムがラミネートされた強化ガラスとなっている。シリンダ３ａは通常の浴室の扉に設けられているものであり、シリンダ３ｂは施錠の強化のために通常のシリンダ３ａとは別個に扉４の上下にそれぞれ設けられたものである。
【００１４】
リモコン６は、図２に示すように、テレビチューナーやビデオ等（図示せず）の映像や給湯温度等の状態を表示させるモニタ５と、緊急避難時にシリンダ３を作動させる非常スイッチ７と、外部に非常事態を通報する外部通報スイッチ８と、各種の機能の操作を行う操作スイッチ９と、モニタ５に表示される映像を切り替える入力切替スイッチ１０と、複数台の監視カメラの映像を順次切り替えるカメラ切替スイッチ１１とを備えている。また、その他に給湯の設定を行う各種スイッチが設けられているが、通常の給湯装置に用いられているものと同様の機能を有しているため、詳細な説明は省略する。
【００１５】
また、図３に示すように、玄関１２の外側と家屋内には監視カメラ１３ａ〜ｆが設けられている。この監視カメラ１３ａ〜ｆは、リモコン６の操作スイッチ９によってその角度を変更させることができるようになっている。本実施形態においては、玄関１２の外側に１台、部屋の中に５台の計６台が設けられている。
【００１６】
また、図３に示すように、玄関１２に設けられている下駄箱１４の内部には、緊急避難時に施錠されたシリンダ３ａ及び３ｂを開錠させる開錠スイッチ１５が設けられている。この開錠スイッチ１５は、暗証番号を入力するテンキー（図示せず）を備えており、暗証番号を入力することによりシリンダ３ａ及び３ｂを開錠させることができるようになっている。
【００１７】
次に、本実施形態の緊急避難室の使用方法について説明する。平常時においては、浴室１は通常の入浴等に利用される。このため、万が一の備えのために日常の居住空間が削減されることがない。
【００１８】
また、シリンダ３ａは通常の浴室の扉に設けられているものと同様に、平常時において内部から施錠することができる。この場合は、浴室１内部で異常があった場合に外部から浴室１内に入ることができるようにコイン等で開錠することができるようになっている。
【００１９】
一方、家屋に外部からの侵入があった場合、居住者は浴室１内に避難し、扉４をしめた状態で非常スイッチ７を押す。すると、シリンダ３ａ及び３ｂによって扉４が施錠される。このとき、シリンダ３ａはコイン等を使用しても開錠することができないように施錠される。このように扉４が施錠されると、外部から当該施錠を解除することができない。また、扉４及び窓２は強度が高いため、侵入者によって打撃等にも対応することができる。
【００２０】
また、避難をした人は外部通報スイッチ８を押すことにより非常事態であることを外部に通報することができる。本実施形態においては、外部通報スイッチ８が押されると、警備会社や警察、或いは救急センター等、緊急時の連絡先がモニタ５に表示され、浴室１内に避難した人が非常事態の態様に応じて連絡先を選択できるようになっている。そして、連絡先が選択されると、当該連絡先に電話連絡ができるようになっている。このように、避難をした人は、警察や警備会社等に通報することにより、外部に救助を求めて非常事態に対応することができる。
【００２１】
さらに、浴室１内に避難した人は、リモコン６の入力切替スイッチ１０を押してモニタ５上に監視カメラ１３ａ〜ｆの映像を映しだし、監視カメラ１３ａ〜ｆにより室内や玄関先の状況を確認することができる。このとき、リモコン６のカメラ切替スイッチ１１により監視カメラ１３ａ〜ｆを順次切り替えると共に、操作スイッチ９により各監視カメラ１３ａ〜ｆの角度を変えることにより、室内や玄関先の様子をくまなく確認することができる。例えば、図２においては、監視カメラ１３ｅの映像が表示されており、モニタ５の右上には監視カメラ１３ｅによって撮影される場所である「玄関・廊下」の文字が表示されている。
【００２２】
監視カメラ１３ａ〜ｆによって浴室１の外部の安全が確認されたときは、避難をした人は再度非常スイッチ７を押す。その際、非常スイッチ７を３秒以上押し続けることによりシリンダ３による施錠が解除されるようになっている。このように、シリンダ３による施錠の解除の際に非常スイッチ７を押し続ける操作を要求することにより、非常事態が解消される前に誤ってシリンダ３の施錠が解除されることを防止している。
【００２３】
また、本実施形態においては、避難する人が非常スイッチ７を押した際に扉４が完全に閉じていない場合には、扉４が完全に閉じられるまでシリンダ３が作動しないようになっている。これにより、居住者があわてて扉４がしまっていない状態で非常スイッチ７を押した場合であっても、扉４が閉まる前にシリンダ３が作動して扉４が閉まらなくなるという不都合が防止される。
【００２４】
一方、平常時に浴室１内で入浴をしている人の体調が悪くなった場合、通常は呼出スイッチで他の人を呼び出すが、誤って非常スイッチ７を押した場合、シリンダ３ａ及び３ｂが施錠されてしまう。このような場合は、他の人は下駄箱１４の中に設けられている開錠スイッチ１５を用いてシリンダ３ａ及び３ｂを開錠させる。その際、図示しないテンキーにより暗証番号を入力してシリンダ３ａ及び３ｂを開錠する。
【００２５】
尚、上記実施形態においては、監視カメラ１３ａ〜ｆを６台設置しているが、これに限らず、玄関１２の前の監視カメラ１３ａと洗面所の監視カメラ１３ａ〜ｆの２台のみを設置する等、任意に選択してもよい。また、玄関１２にインターホン用のカメラが設置されている場合には、当該カメラの映像がモニタ５に映し出されるようにしてもよい。
【００２６】
また、非常スイッチ７と外部通報スイッチ８とは別個のスイッチとしているが、非常スイッチ７に外部通報機能を持たせて１個のスイッチで両機能を兼用しても良い。このように非常スイッチ７によって直接外部と通報できるようにすることにより、緊急時におけるスイッチの操作性が向上する。
【００２７】
また、シリンダ３ａ及び３ｂを外部から開錠させる手段として、図示しないテンキーにより暗証番号を入力する開錠スイッチ１５を例にして説明したが、これに限らず、１つのスイッチで例えば５秒以上押し続けることによりシリンダ３ａ及び３ｂを開錠させるようにしてもよい。このように下駄箱１４に開錠スイッチ１５が設けられていることは外部からの侵入者には見つけにくい。また、開錠の操作も部外者には秘匿されているため、侵入者が施錠されているシリンダ３ａ及び３ｂを開錠することはできない。一方、例えば家屋に２４時間換気システムが設けられている場合は、その操作スイッチは下駄箱に設けられる場合も多いため、家族であれば下駄箱１４にスイッチがあることに違和感は生じない。
【００２８】
あるいは、上記実施形態のように開錠スイッチ１５を別個に設けるのではなく、例えば台所に設けられているリモコンにおいて２つ以上のキーを同時に押すことによりシリンダ３ａ及び３ｂを開錠できるようにしてもよい。
【００２９】
次に、本発明の変形例である緊急避難室に用いられるリモコン２１について図４を参照して説明する。本変形例のリモコン２１は、映像を表示することができるモニタを備えていないリモコンである。また、リモコン２１は、通常のリモコンに加えて非常スイッチ７と外部通報スイッチ８とが追加されている。尚、本変形例では、上記実施形態のように監視カメラ１３は備えていない。その他の構成については、上記実施形態と同様であるので詳細な説明は省略する。
【００３０】
本変形例において居住者が浴室１内に避難したときは、リモコン２１の非常スイッチ７を押す。すると、シリンダ３ａ及び３ｂが作動して扉４が施錠される。避難した人はこの状態から外部通報スイッチ８を押して外部に助けを求めることができる。そして、外部から警備会社や警察から救助者が到着すれば非常事態は解消される。
【００３１】
尚、上記変形例においては、モニタ５及び監視カメラ１３を備えていないが、リモコン２１に隣接してモニタ５を追加し、さらに監視カメラ１３を追加してもよい。
【００３２】
また、上記実施形態及び変形例共に、扉４は強度が確保できれば他の材料を用いて構成してもよい。また、非常スイッチ７が作動している状態では、外部から浴室内の電灯のオンオフや浴室乾燥機の運転制御が行えないようにしてもよい。さらに、浴室１に窓がある場合には、非常スイッチ７が押された際に当該窓が施錠されるようにしてもよい。
【図面の簡単な説明】
【図１】本実施形態の緊急避難室である浴室の説明図。
【図２】モニタ付きリモコンを示す説明図。
【図３】家屋内の監視カメラの配置を示す説明図。
【図４】本発明の変形例に用いられるリモコンを示す説明図。
【符号の説明】
１…浴室（緊急避難室）、３…シリンダ（施錠手段）、４…扉、６…リモコン、７…非常スイッチ、８…外部通報スイッチ。
【図１】
2005002652.tif 000003
【図２】
2005002652.tif 000004
【図３】
2005002652.tif 000005
【図４】
2005002652.tif 000006